(57)【要約】【課題】  多品種の製品に対応でき、切替え時間をなくし、設備の稼働率を向上させることが可能な排気治具を提供する。【解決手段】  製品７内部の不純物を排気する排気治具であって、製品７を把持すると共に、排気時に前記製品７の内部の空気と外部の空気とを遮断し、前記製品７の内部の真空度を保つ穴部２ａを持つ側面菱形形状の口ゴム２と、前記側面菱形形状の口ゴム２を前記穴部２ａの軸方向より圧縮するレバー８を有するものである。【選択図】    図１
2006102713.tif 000002
【特許請求の範囲】
【請求項１】
製品内部の不純物を排気する排気治具であって、製品を把持すると共に、排気時に製品内部の空気と外部の空気とを遮断し、製品内部の真空度を保つ穴部を持つ側面菱形形状の口ゴムと、前記側面菱形形状の口ゴムを前記穴部の軸方向より圧縮するレバーを有することを特徴とする排気治具。
【発明の詳細な説明】
【技術分野】
【０００１】
本発明は製品内部の不純物を排気するための排気治具に関するものである。
【背景技術】
【０００２】
ここでいう排気治具とは、製品内部の空気、水分を真空ポンプなどで吸い出すことにより製品内部の真空度を高めて不純物を取出し、その後製品内に供給したいガスを供給できるようにする機構を持った治具を指すものである。
【０００３】
以下、図面を参照しながら従来の排気治具について説明する。図２は従来の排気治具の要部構成を示す側面図である。
【０００４】
図中、１は治具本体、２は製品７を把持すると共に、排気作業時に製品７の内部の空気と外部の空気とを遮断し、製品内部の真空度を保つ役割を持つ口ゴムであり、内部に穴部２ａを有している。３は内側にメネジを切ったキャップであり、オネジが立てられている本体１のネジ部４に取付けられる。５はキャップ３を回転させることによりキャップ３が上下方向に動く力をガイド６に伝えるためのボールである。ガイド６はキャップ３、ボール５が上下方向に動く力を口ゴム２に与えることで口ゴム２を変形させる機能を有している。８はキャップ４に取付けられているレバーであり、このレバー８に力を加えることによってキャップ３が回転する。
【０００５】
次にその動作について説明する。まず、製品７を口ゴム６の中に開いている穴部２ａに挿入し、レバー８に力を与えることによりキャップ３を回転させる。キャップ３が右回転するとキャップ３内部のメネジを介してキャップ３は上方向に押上げられる。この押上げによりボール５、ガイド６が上方向に移動し、口ゴム２の中に開いている穴部２ａに軸方向の力が加わり、穴部２ａが細く変形する。この穴部２ａは変形することにより挿入されている製品７の外径に密着し、製品７を把持することができると共に、製品７の内部の空気と外部の空気とを遮断させることができ、製品７の内部の空気、水分を排気することを可能とすると共に、製品７の内部の真空度を保持することができる。また、キャップ３が左回転するようにレバー８に力を加えるとキャップ３が下方向に動き、ボール５、ガイド６が下がり、口ゴム２の中の穴部２ａがゴムの弾性によって変形状態から元の状態に戻る。この動作を繰り返せば、継続的に製品７を供給でき、排気作業を継続することが可能である。
【特許文献１】特開平１１−４５９３１号公報
【発明の開示】
【発明が解決しようとする課題】
【０００６】
しかしながら、このような構成では、製品の外径が変更された場合、例えば約０．８ｍｍ程度の変更でも、口ゴムが変形する量が限られているため口ゴムを交換する必要があり、切替えに時間がかかり、多品種の製品には対応できないという問題点があった。
【０００７】
本発明は上記従来の問題点を解決するものであり、多品種の製品に対応でき、切替え時間をなくし、設備の稼働率を向上させることが可能な排気治具を提供することを目的とする。
【課題を解決するための手段】
【０００８】
本発明の排気治具は、製品内部の不純物を排気する排気治具であって、製品を把持すると共に、排気時に製品内部の空気と外部の空気とを遮断し、製品内部の真空度を保つ穴部を持つ側面菱形形状の口ゴムと、前記側面菱形形状の口ゴムを前記穴部の軸方向より圧縮するレバーを有するものである。
【０００９】
この発明によれば、多品種の製品に対応でき、口ゴムの切替え時間をなくし、設備の稼働率を向上させることが可能となる。
【発明の効果】
【００１０】
以上のように本発明によれば、製品の外径が変更になっても、それが許容範囲の変更であれば、口ゴムを変更することなく多品種に対応できるものであり、これにより口ゴムの切替え時間をなくすことが可能となり、設備の稼働率を向上させることができるという有利な効果が得られる。
【発明を実施するための最良の形態】
【００１１】
以下、本発明の一実施の形態について図面を参照しながら説明する。なお、前記従来のものと同一の部分については同一符号を用いるものとする。図１は本発明の排気治具の一実施の形態における要部構成を示す側面図である。
【００１２】
図中、１は治具本体、２は製品７を把持すると共に、排気作業時に製品７の内部の空気と外部の空気とを遮断し、製品内部の真空度を保つ役割を持つソロバン玉のような側面菱形形状の口ゴムであり、内部に穴部２ａを有している。３は内側にメネジを切ったキャップであり、オネジが立てられている本体１のネジ部４に取付けられる。５はキャップ３を回転させることによりキャップ３が上下方向に動く力をガイド６に伝えるためのボールである。ガイド６はキャップ３、ボール５が上下方向に動く力を側面菱形形状の口ゴム２に与えることによってこれを変形させる機能を有している。８はキャップ４に取付けられているレバーであり、このレバー８に力を加えることによってキャップ３が回転する。９は側面菱形形状の口ゴム２をガイドするためのケーシングである。
【００１３】
次にその動作について説明する。まず、製品７を側面菱形形状の口ゴム６の中に開いている穴部２ａに挿入し、レバー８に力を与えることによりキャップ３を回転させる。キャップ３が右回転するとキャップ３内部のメネジを介してキャップ３は上方向に押上げられる。この押上げによりボール５、ガイド６が上方向に移動し、側面菱形形状の口ゴム２に力が加わり、口ゴム２の中に開いている穴２ａが細く変形して挿入されている製品７の外径に密着し、製品７を把持することができると共に、製品７の内部の空気と外部の空気とを遮断させることができ、製品７の内部の空気、水分を排気することと併せて製品７の内部の真空度を保持することが可能となる。また、キャップ３が左回転するようにレバー８に力を加えるとキャップ３が下方向に動き、ボール５、ガイド６が下がり、側面菱形形状の口ゴム２の中に開けられている穴部２ａがゴムの弾性によって変形状態から元の状態に戻る。この動作を繰り返せば、継続的に製品７を供給でき、排気作業を継続することが可能である。
【００１４】
ここまでの動作は前記従来のものと同様であるが、本実施の形態における特長は、側面菱形形状の口ゴム２の形状にあり、この構成により、側面菱形形状の口ゴム２の中に開けられている穴部２ａは変形しやすく、製品７の外径が変更（許容範囲内の変更で約０．８ｍｍ程度）されてもその把持及び製品７の内部の空気と外部の空気との遮断、内部の空気、水分の排気を行うことができると共に、製品７の内部の真空度を保持することができる。
【００１５】
以上のように、本実施の形態によれば、製品の外径が変更になっても口ゴムを変更することないので多品種に対応でき、口ゴムの切替え時間をなくすことにより設備の稼働率を向上させることが可能となる。
【図面の簡単な説明】
【００１６】
【図１】本発明の排気治具の一実施の形態における要部構成を示す側面図
【図２】従来の排気治具の要部構成を示す側面図
【符号の説明】
【００１７】
１  治具本体
２  口ゴム
２ａ  穴部
３  キャップ
４  ネジ部
５  ボール
６  ガイド
７  製品
８  レバー
９  ケーシング
【図１】
2006102713.tif 000003
【図２】
2006102713.tif 000004